(57)【要約】【課題】本発明は、同じ被写体を撮影した複数の映像に対してアンカー定義を作成する場合に、アンカー定義の作成の手間を軽減できるようにする新たな映像アンカー作成技術の提供を目的とする。【解決手段】アンカーの作成対象となる複数の映像について、映像同士の時間的な対応をとっておき、そのうちの一つの映像に対して、指示対象となる被写体を内包する領域の情報とその時間位置の情報とを指定することにより、アンカーを定義する。そして、アンカーを定義した映像について、各時間位置における被写体を内包する領域から特徴量を抽出し、それ以外の映像から、アンカーを定義した映像と同じ時間位置において、抽出手段により抽出された特徴量と最も近い特徴量を持つ領域を探索することで、それらの映像についてアンカーを定義する。これにより、アンカー定義の作成の手間を軽減できるようになる。【選択図】          図１
2004334611.tif 000002
【特許請求の範囲】
【請求項１】
複数の映像を作成対象として、映像に含まれる指示対象の被写体を内包する領域の情報とその時間位置の情報とで定義されるアンカーを作成する映像アンカー作成装置であって、
上記複数の映像について、映像同士の時間的な対応をとる手段と、
上記複数の映像の内の１つの映像に対して、指示対象の被写体を内包する領域の情報とその時間位置の情報とを指定する手段と、
上記指定した映像について、その映像の各時間位置における被写体の内包領域から特徴量を抽出する手段と、
上記指定した映像以外の映像について、上記指定した映像と同じ時間位置において、上記抽出した特徴量と最も近い特徴量を持つ領域を探索する手段とを備えることを、
特徴とする映像アンカー作成装置。
【請求項２】
複数の映像を作成対象として、映像に含まれる指示対象の被写体を内包する領域の情報とその時間位置の情報とで定義されるアンカーを作成する映像アンカー作成方法であって、
上記複数の映像について、映像同士の時間的な対応をとる過程と、
上記複数の映像の内の１つの映像に対して、指示対象の被写体を内包する領域の情報とその時間位置の情報とを指定する過程と、
上記指定した映像について、その映像の各時間位置における被写体の内包領域から特徴量を抽出する過程と、
上記指定した映像以外の映像について、上記指定した映像と同じ時間位置において、上記抽出した特徴量と最も近い特徴量を持つ領域を探索する過程とを備えることを、
特徴とする映像アンカー作成方法。
【請求項３】
複数の映像を作成対象として、映像に含まれる指示対象の被写体を内包する領域の情報とその時間位置の情報とで定義されるアンカーを作成する処理に用いられる映像アンカー作成プログラムであって、
上記複数の映像について、映像同士の時間的な対応をとる処理と、
上記複数の映像の内の１つの映像に対して、指示対象の被写体を内包する領域の情報とその時間位置の情報とを指定する処理と、
上記指定した映像について、その映像の各時間位置における被写体の内包領域から特徴量を抽出する処理と、
上記指定した映像以外の映像について、上記指定した映像と同じ時間位置において、上記抽出した特徴量と最も近い特徴量を持つ領域を探索する処理とをコンピュータに実行させる映像アンカー作成プログラム。
【請求項４】
複数の映像を作成対象として、映像に含まれる指示対象の被写体を内包する領域の情報とその時間位置の情報とで定義されるアンカーを作成する処理に用いられる映像アンカー作成プログラムを記録した記録媒体であって、
上記複数の映像について、映像同士の時間的な対応をとる処理と、
上記複数の映像の内の１つの映像に対して、指示対象の被写体を内包する領域の情報とその時間位置の情報とを指定する処理と、
上記指定した映像について、その映像の各時間位置における被写体の内包領域から特徴量を抽出する処理と、
上記指定した映像以外の映像について、上記指定した映像と同じ時間位置において、上記抽出した特徴量と最も近い特徴量を持つ領域を探索する処理とをコンピュータに実行させる映像アンカー作成プログラムを記録した記録媒体。
【発明の詳細な説明】
【０００１】
【発明の属する技術分野】
本発明は、複数の映像を作成対象として、映像に含まれる指示対象の被写体を内包する領域の情報とその時間位置の情報とで定義されるアンカーを作成する映像アンカー作成装置及びその方法と、その映像アンカー作成方法の実現に用いられる映像アンカー作成プログラム及びそのプログラムを記録した記録媒体とに関する。
【０００２】
ＬＡＮ・インターネット・放送などにおいて、ユーザが提供される映像中の人物や物などの被写体に対してクリックなどの指示をした際に、その指示に応じた動作を実行するインタラクション技術が用いられている。このインタラクション技術の実現にあたっては、システム構築に要する負荷を低減させる技術を構築していく必要がある。
【０００３】
【従来の技術】
ユーザが映像中の被写体に対して行った指示に応じてアクションを実行することを考えた場合、あらかじめ、指示対象となる被写体を内包する領域（空間的位置）と時間位置の情報とをアンカーとして定義するとともに、そのアンカーに対応するアクションを定義しておき、ユーザが被写体を指示した際の指示ポイントの空間的位置及び時間的位置を含むアンカーに対応するアクションを検索して実行するという方法がある。
【０００４】
例えば、下記に示す特許文献１に記載される発明では、被写体が登場する区間の開始時点と終了時点のフレーム値を時間的位置として指定し、各々のフレームにおける被写体を内包する矩形領域を空間的位置として指定することによりアンカーを定義している。
【０００５】
そして、ユーザにより映像中の被写体が指示された際に、ユーザに指示されたフレーム位置が含まれるアンカー定義区間を抽出し、その抽出した区間両端の矩形領域を用いて、ユーザに指示されたフレーム位置における矩形領域を線形補間により求め、その求めた矩形領域の中にユーザに指示された座標位置が含まれていれば、アンカーヒットしたとして対応するアクションを実行するようにしている。
【０００６】
【特許文献１】
特開平３−５２０７０号公報
【０００７】
【発明が解決しようとする課題】
しかしながら、特許文献１に記載される発明に従っていたのでは、以下のような問題がある。
【０００８】
すなわち、同じ被写体を同時に複数カメラで撮影した映像を用いて、視聴者がいずれかの映像中の被写体を指示すると関連情報が表示される、というインタラクティブコンテンツを考える。
【０００９】
このコンテンツを実現するため、特許文献１に記載される発明に従っていると、あらかじめアンカーを定義するとした場合、それぞれの映像ごとにアンカー定義を繰り返す必要がある。
【００１０】
しかしながら、このような従来技術に従っていると、映像中の被写体は同じにも関わらず映像ごとにアンカー定義を繰り返すことから、非常に手間の掛かる作業を強いられることになる。
【００１１】
本発明はかかる事情に鑑みてなされたものであって、同じ被写体を撮影した複数の映像に対してアンカー定義を作成する場合に、アンカー定義を繰り返し行うことなくアンカー定義を作成できるようにすることで、アンカー定義の作成の手間を軽減できるようにする新たな映像アンカー作成技術の提供を目的とする。
【００１２】
【課題を解決するための手段】
この目的を達成するために、本発明の映像アンカー作成装置は、複数の映像を作成対象として、映像に含まれる指示対象の被写体を内包する領域の情報とその時間位置の情報とで定義されるアンカーを作成する処理を行うために、（イ）アンカーの作成対象となる複数の映像について、それらの映像同士の時間的な対応をとる同期手段と、（ロ）アンカーの作成対象となる複数の映像の内の１つの映像に対して、指示対象の被写体を内包する領域の情報とその時間位置の情報とを指定する指定手段と、（ハ）指定手段の指定した映像について、その映像の各時間位置における被写体の内包領域から特徴量を抽出する抽出手段と、（ニ）指定手段の指定した映像以外の映像について、指定手段の指定した映像と同じ時間位置において、抽出手段の抽出した特徴量と最も近い特徴量を持つ領域を探索する探索手段とを備えるように構成する。
【００１３】
以上の各処理手段はコンピュータプログラムで実現できるものであり、このコンピュータプログラムは、半導体メモリなどの記録媒体に記録して提供したり、ネットワークを介して提供することができる。
【００１４】
このように構成される本発明の映像アンカー作成装置では、同期手段により、アンカーの作成対象となる複数の映像について、映像同士の時間的な対応をとっておき、指定手段により、そのうちの一つの映像に対して、指示対象となる被写体を内包する領域の情報とその時間位置の情報とを指定することにより、アンカーを定義する。
【００１５】
そして、抽出手段により、アンカーを定義した映像について、各時間位置における被写体を内包する領域から特徴量を抽出し、探索手段により、アンカーを定義した映像と同期をとった映像から、アンカーを定義した映像と同じ時間位置において、抽出手段により抽出された特徴量と最も近い特徴量を持つ領域を探索することで、それらの映像についてアンカーを定義する。
【００１６】
このようにして、本発明によれば、映像中の被写体に対する指示に応じて動作するインタラクションで利用され、指示対象となる被写体を内包する領域の情報とその時間位置の情報とで定義されるアンカーを作成するときにあって、一つの映像に対するアンカー定義を元に、他の映像に対するアンカーを自動的に作成できるようにすることで、アンカー作成の手間を軽減することができるようになる。
【００１７】
【発明の実施の形態】
以下、本発明の実施形態について図面を用いて説明する。
【００１８】
図１に、本発明を具備する映像アンカー作成装置１の一実施形態例を図示する。
【００１９】
この図に示すように、本発明の映像アンカー作成装置１は、あらかじめ複数の映像同士の同期を可能とする映像間同期手段１０と、同期した複数映像のうちの一つの映像を処理対象（以下、主映像と称する）として、ユーザの指示対象となる被写体を内包する領域（空間的位置）とその時間位置の情報とを指定することにより、主映像に対してアンカーを定義するアンカー定義手段２０と、主映像の各時間位置における被写体を内包する領域から特徴量を抽出する特徴量抽出手段３０と、主映像と同期した異なる映像（以下、参照映像と称する）から、主映像と同じ時間位置において、主映像から抽出した特徴量と最も近い特徴量を持つ領域を抽出する領域抽出手段４０と、主映像を格納する主映像ファイル５０と、参照映像を格納する参照映像ファイル６０とを備える。
【００２０】
この映像間同期手段１０は、主映像開始時間指定手段１１と、参照映像開始時間指定手段１２と、主映像アンカー時間区間変換手段１３と、参照映像アンカー時間区間変換手段１４とを備える。
【００２１】
一方、アンカー定義手段２０は、アンカー時間区間指定手段２１と、アンカー領域指定手段２２とを備える。
【００２２】
次に、このように構成される本発明の映像アンカー作成装置１の動作について説明する。
【００２３】
まず事前の準備として、主映像開始時間指定手段１１は、アンカーを定義する主映像の開始時間を任意の基準時間からの相対時間で指定する。これを主映像基準開始時間とする。この主映像基準開始時間の情報については、主映像アンカー時間区間変換手段１３に渡される。
【００２４】
同様に、参照映像開始時間指定手段１２は、主映像を元にアンカーを自動的に作成することになる参照映像の開始時間を同じ基準時間からの相対時間で指定する。これを参照映像基準開始時間とする。この参照映像基準開始時間の情報については、参照映像アンカー時間区間変換手段１４に渡される。
【００２５】
図２に、基準時間Ｓ０に対して、主映像基準開始時間Ｓ１、参照映像基準開始時間Ｓ２を指定した場合を具体例にして図示する。
【００２６】
続いて、アンカー時間区間指定手段２１は、主映像に対してアンカーを定義したい時間位置の開始時点と終了時点とを、主映像アンカー開始時間と主映像アンカー終了時間との対として指定する。ここで、主映像アンカー開始時間と主映像アンカー終了時間とは、主映像の開始時間をゼロとした場合の経過時間で指定する。この指定した主映像アンカー開始時間と主映像アンカー終了時間との情報については、主映像アンカー時間区間変換手段１３および特徴量抽出手段３０に渡される。
【００２７】
図３に、主映像アンカー開始時間Ｔ１ｓ、主映像アンカー終了時間Ｔ１ｅを指定した場合を具体例にして図示する。
【００２８】
一方、アンカー領域指定手段２２は、上述した主映像アンカー開始時間と主映像アンカー終了時間とに対して、それぞれ開始矩形領域と終了矩形領域とを指定する。この開始矩形領域と終了矩形領域との情報については、特徴量抽出手段３０に渡される。ここで、アンカー領域指定手段２２で指定する領域の形状は、矩形に限られるものでなく、円形・楕円形・多角形などでもよい。
【００２９】
このようにして、主映像アンカー時間区間変換手段１３には、主映像開始時間指定手段１１で指定された主映像基準開始時間の情報と、アンカー時間区間指定手段２１で指定された主映像アンカー開始時間および主映像アンカー終了時間の情報とが渡されることになる。
【００３０】
これを受けて、主映像アンカー時間区間変換手段１３は、主映像開始時間指定手段１１で指定された主映像基準開始時間を元に、アンカー時間区間指定手段２１から渡された主映像アンカー開始時間と主映像アンカー終了時間とを、基準時間からの相対時間に変換する。
【００３１】
これらを、それぞれアンカー基準開始時間とアンカー基準終了時間とする。この算出したアンカー基準開始時間とアンカー基準終了時間との情報については、参照映像アンカー時間区間変換手段１４に渡される。
【００３２】
図４に、主映像基準開始時間Ｓ１と主映像アンカー開始時間Ｔ１ｓとを元に、アンカー基準開始時間Ａｓ＝Ｔ１ｓ＋Ｓ１を算出し、主映像基準開始時間Ｓ１と主映像アンカー終了時間Ｔ１ｅとを元に、アンカー基準終了時間Ａｅ＝Ｔ１ｅ＋Ｓ１を算出した場合を具体例にして図示する。
【００３３】
このようにして、参照映像アンカー時間区間変換手段１４には、参照映像開始時間指定手段１２で指定された参照映像基準開始時間の情報に加えて、主映像アンカー時間区間変換手段１３で算出されたアンカー基準開始時間およびアンカー基準終了時間の情報が渡されることになる。
【００３４】
これを受けて、参照映像アンカー時間区間変換手段１４は、参照映像開始時間指定手段１２で指定された参照映像基準開始時間を元に、主映像アンカー時間区間変換手段１３から渡されたアンカー基準開始時間およびアンカー基準終了時間を、参照映像の開始時間をゼロとした場合の経過時間に変換する。
【００３５】
これらを、それぞれ参照映像アンカー開始時間と参照映像アンカー終了時間とする。この算出した参照映像アンカー開始時間と参照映像アンカー終了時間の情報については、領域抽出手段４０に渡される。
【００３６】
図５に、参照映像基準開始時間Ｓ２とアンカー基準開始時間Ａｓ＝Ｔ１ｓ＋Ｓ１とを元に、参照映像アンカー開始時間Ｔ２ｓ＝Ａｓ−Ｓ２＝Ｔ１ｓ＋Ｓ１−Ｓ２を算出し、参照映像基準開始時間Ｓ２とアンカー基準終了時間Ａｅ＝Ｔ１ｅ＋Ｓ１とを元に、参照映像アンカー終了時間Ｔ２ｅ＝Ａｅ−Ｓ２＝Ｔ１ｅ＋Ｓ１−Ｓ２を算出した場合を具体例にして図示する。
【００３７】
特徴量抽出手段３０は、アンカー時間区間指定手段２１より渡された主映像アンカー開始時間および主映像アンカー終了時間の情報と、アンカー領域指定手段２２より渡された開始矩形領域および終了矩形領域の情報とをもとに、主映像アンカー開始時間と主映像アンカー終了時間との間の各時間位置における矩形領域を線形補間によって求めるとともに、その求めた各矩形領域の特徴量を抽出する。
【００３８】
このとき抽出する特徴量については、領域内の物理的な特徴量を算出できるものであればどのようなものでも良い。例えば、色値、輝度値、テクスチャ、サイズなどの物理的な特徴量を一般的な映像処理技術により抽出することになる。例えば、矩形領域内の各画素からＲＧＢ値を取得し、矩形領域全体で平均することにより特徴量としても良い。また、複数の特徴量を組み合わせてもよい。
【００３９】
各矩形領域の特徴量の情報については、主映像アンカー開始時間から主映像アンカー終了時間まで時間順に管理されて、領域抽出手段４０に渡される。
【００４０】
領域抽出手段４０は、参照映像アンカー時間区間変換手段１４から渡された参照映像アンカー開始時間と参照映像アンカー終了時間との間の時間位置毎に、その時間順に、特徴量抽出手段３０から渡された時間順に管理された各矩形領域の特徴量の情報を元にして、それぞれ最も近い特徴量を持つ領域（空間的位置）を抽出する。
【００４１】
この領域（空間的位置）の抽出方法については、特徴量抽出手段３０から渡された物理的な特徴量と比較して求められるものであれば、どのようなものでもよい。
【００４２】
例えば一例として、矩形のサイズを固定した上で、画面全体の全領域の特徴量（例えばＲＧＢ値の平均）を求め、特徴量抽出手段３０から渡された物理的な特徴量と最も近い領域をアンカー候補とする。さらに、そのアンカー候補とした領域を、重心位置を変えずに縦横サイズのみ一定の範囲で変化させ、変化させた各領域の特徴量（例えばＲＧＢ値の平均）を求め、特徴量抽出手段３０から渡された物理的な特徴量と最も近い領域を、その時間位置におけるアンカーとすることで抽出する。
【００４３】
参照映像アンカー開始時間と参照映像アンカー終了時間との間の全時間位置について同様の処理を行い、参照映像のアンカーとする。
【００４４】
以上のようにして、本発明の映像アンカー作成装置１によれば、一つの映像に対するアンカー定義を元に、他の映像に対するアンカーを自動的に作成することができるようになる。
【００４５】
次に、図６及び図７に示す処理フローに従って、主映像と参照映像という２つの映像のアンカーを作成する処理を具体例にして、以上に説明した本発明の映像アンカー作成装置１の実行する処理についてまとめる。
【００４６】
本発明の映像アンカー作成装置１は、主映像及び参照映像についてのアンカーの作成要求が発行されると、図６及び図７の処理フローに示すように、先ず最初に、ステップ１０で、基準時間Ｓ０を基準にして、主映像基準開始時間Ｓ１と参照映像基準開始時間Ｓ２とを指定する。すなわち、図２に示すように、主映像基準開始時間Ｓ１と参照映像基準開始時間Ｓ２とを指定するのである。
【００４７】
続いて、ステップ１１で、主映像に対してアンカーを定義したい時間位置の開始時点となる主映像アンカー開始時間Ｔ１ｓと、主映像に対してアンカーを定義したい時間位置の終了時点となる主映像アンカー終了時間Ｔ１ｅとを指定する。すなわち、図３に示すように、主映像アンカー開始時間Ｔ１ｓと主映像アンカー終了時間Ｔ１ｅとを指定するのである。
【００４８】
ここで、主映像アンカー開始時間Ｔ１ｓと主映像アンカー終了時間Ｔ１ｅとの間で、被写体は直線的な動きをしていることを想定している。
【００４９】
続いて、ステップ１２で、主映像アンカー開始時間Ｔ１ｓにおける開始矩形領域と、主映像アンカー終了時間Ｔ１ｅにおける終了矩形領域とを指定する。
【００５０】
続いて、ステップ１３で、主映像基準開始時間Ｓ１と主映像アンカー開始時間Ｔ１ｓとを元に、アンカー基準開始時間Ａｓ＝Ｔ１ｓ＋Ｓ１を算出するとともに、主映像基準開始時間Ｓ１と主映像アンカー終了時間Ｔ１ｅとを元に、アンカー基準終了時間Ａｅ＝Ｔ１ｅ＋Ｓ１を算出する。すなわち、図４に示すように、アンカー基準開始時間Ａｓとアンカー基準終了時間Ａｅとを算出するのである。
【００５１】
続いて、ステップ１４で、アンカー基準開始時間Ａｓと参照映像基準開始時間Ｓ２とから、参照映像アンカー開始時間Ｔ２ｓ＝Ａｓ−Ｓ２＝Ｔ１ｓ＋Ｓ１−Ｓ２を算出するとともに、アンカー基準終了時間Ａｅと参照映像基準開始時間Ｓ２とから、参照映像アンカー終了時間Ｔ２ｅ＝Ａｅ−Ｓ２＝Ｔ１ｅ＋Ｓ１−Ｓ２を算出する。すなわち、図５に示すように、参照映像アンカー開始時間Ｔ２ｓと参照映像アンカー終了時間Ｔ２ｅとを算出するのである。
【００５２】
続いて、ステップ１５で、主映像アンカー開始時間Ｔ１ｓと主映像アンカー終了時間Ｔ１ｅとの間の時間をｎ等分することで、主映像についてｎ−１個のフレームを作成する。
【００５３】
続いて、ステップ１６で、フレームを示す変数ｉに１をセットし、続くステップ１７で、変数ｉの値がｎに到達したのか否かを判断する。
【００５４】
この判断処理により、変数ｉの値がｎに到達していないことを判断するときには、ステップ１８に進んで、ステップ１２で指定した開始矩形領域と終了矩形領域とから、フレームｉにおける矩形領域を線形補間によって求めるとともに、その特徴量を抽出し、続くステップ１９で、変数ｉの値を１つインクリメントしてから、ステップ１７に戻る。
【００５５】
このようにして、ステップ１７〜ステップ１９の処理を繰り返していくことで、ステップ１５で作成したｎ−１個のフレームのそれぞれについて、被写体を内包する矩形領域を線形補間によって求めるとともに、その特徴量を抽出するのである。
【００５６】
一方、ステップ１７で、変数ｉの値がｎに到達したことを判断することで、その線形補間・特徴量抽出が終了したことを判断すると、ステップ２０に進んで、ステップ１２で指定した開始矩形領域及び終了矩形領域と、ステップ１８で求めた矩形領域と、それらの時間位置とに従って、主映像のアンカー定義を作成する。
【００５７】
続いて、ステップ２１で、参照映像アンカー開始時間Ｔ２ｓのフレームを探索対象として、ステップ１２で指定した開始矩形領域の特徴量に最も近い特徴量を持つ領域を探索する。
【００５８】
続いて、ステップ２２で、フレームを示す変数ｉに１をセットし、続くステップ２３で、フレームｉと対をなす参照映像のフレームを探索対象として、線形補間によって求めたフレームｉの矩形領域の特徴量に最も近い特徴量を持つ領域を探索する。
【００５９】
続いて、ステップ２４で、変数ｉの値を１つインクリメントし、続くステップ２５で、参照映像アンカー終了時間Ｔ２ｅのフレームに到達したのか否かを判断して、到達していないことを判断するときには、ステップ２３に戻る。
【００６０】
このようにして、ステップ２３〜ステップ２５の処理を繰り返していくことで、図８に示すように、ステップ１５で作成した主映像のｎ−１個のフレームに対応付けられる参照映像のフレームのそれぞれについて、主映像のフレームｉの矩形領域の特徴量に最も近い特徴量を持つ領域を探索するのである。
【００６１】
一方、ステップ２５で、参照映像アンカー終了時間Ｔ２ｅのフレームに到達したことを判断すると、ステップ２６に進んで、参照映像アンカー終了時間Ｔ２ｅのフレームを探索対象として、ステップ１２で指定した終了矩形領域の特徴量に最も近い特徴量を持つ領域を探索する。
【００６２】
続いて、ステップ２７で、ステップ２１，２３，２６で探索した領域と、それらの時間位置とに従って、参照映像のアンカー定義を作成して、処理を終了する。
【００６３】
このようにして、本発明の映像アンカー作成装置１は、主映像に対するアンカー定義を元に、参照映像に対するアンカーを自動的に作成するように処理するのである。
【００６４】
図示実施形態例に従って本発明を説明したが、本発明はこれに限定されるものではない。例えば、実施形態例では、主映像と参照映像という２つの映像に対してアンカーを作成することで説明したが、本発明は３つ以上の映像に対してアンカーを作成する場合にも、そのまま適用できるものである。
【００６５】
【発明の効果】
以上説明したように、本発明によれば、映像中の被写体に対する指示に応じて動作するインタラクションで利用され、指示対象となる被写体を内包する領域の情報とその時間位置の情報とで定義されるアンカーを作成するときにあって、一つの映像に対するアンカー定義を元に、他の映像に対するアンカーを自動的に作成できるようにすることで、アンカー作成の手間を軽減することができるようになる。
【図面の簡単な説明】
【図１】本発明の映像アンカー作成装置の一実施形態例である。
【図２】本発明の映像アンカー作成装置の処理の説明図である。
【図３】本発明の映像アンカー作成装置の処理の説明図である。
【図４】本発明の映像アンカー作成装置の処理の説明図である。
【図５】本発明の映像アンカー作成装置の処理の説明図である。
【図６】本発明の映像アンカー作成装置の実行する処理フローである。
【図７】本発明の映像アンカー作成装置の実行する処理フローである。
【図８】本発明の映像アンカー作成装置の処理の説明図である。
【符号の説明】
１    映像アンカー作成装置
１０  映像間同期手段
１１  主映像開始時間指定手段
１２  参照映像開始時間指定手段
１３  主映像アンカー時間区間変換手段
１４  参照映像アンカー時間区間変換手段
２０  アンカー定義手段
２１  アンカー時間区間指定手段
２２  アンカー領域指定手段
３０  特徴量抽出手段
４０  領域抽出手段
５０  主映像ファイル
６０  参照映像ファイル
【図１】
2004334611.tif 000003
【図２】
2004334611.tif 000004
【図３】
2004334611.tif 000005
【図４】
2004334611.tif 000006
【図５】
2004334611.tif 000007
【図６】
2004334611.tif 000008
【図７】
2004334611.tif 000009
【図８】
2004334611.tif 000010